(57)【要約】【課題】本発明は、内容物が受納される内容物ケースが外部ケースの側面からスライド自在に挿脱されるコンパクト容器を提供する。【解決手段】  本発明は、外部ケース１０に装着されている内容物ケース２０を軽くタッチすれば、内容物ケース２０が外部ケース１０から自動に抜け出して内容物ケース２０を引き出す場合の使用上の煩わしさを解消すると共に、鏡が付着されている内容物ケース２０の内部蓋２２が自動に開放されることで、化粧時に自身の顔を見ながら容易に化粧できるコンパクトケースである。【選択図】図１
2008155004.tif 000002
【特許請求の範囲】
【請求項１】
収納部に内容物が受納される内容物ケースが外部ケースからスライド自在に挿脱されるコンパクトケースであって、
前記内容物ケースを挿脱するための開放口が一側に形成され、開放口の反対の側壁内にワンタッチスイッチが選択的に分離・固定されるワンタッチスイッチ固定バーが形成され、内容物ケースを案内する案内レールが両側に形成された内底面には、開放口と隣接する位置に固定されて内容物ケースをスライドさせるロールスプリングが設置される外部ケースと、
前記収納部に受容された内容物を密閉保管できるようにヒンジ設置され、前記外部ケースから引き出された場合、自動的に開放されて鏡を見ながら化粧できるように設置される内部蓋を有し、前記外部ケースの側壁と向き合う側面部には前記ロールスプリングが挿入案内されるスプリング案内部が形成され、前記スプリング案内部の側方にはグリップを持つワンタッチスイッチが固定突起を介して設置され、前記スプリング案内部と前記ワンタッチスイッチとの間には前記外部ケースの内底面の中央に形成された案内ホールに沿って案内されると共に、内容物ケースが外部ケースに装着維持されるように案内片兼用係止突起が切開溝により切開形成される内容物ケースと、
からなることを特徴とするコンパクトケース。
【発明の詳細な説明】
【技術分野】
【０００１】
本発明は、内容物が受納される内容物ケースが外部ケースの側面からスライド自在に挿脱されるコンパクトケースに関する。
【背景技術】
【０００２】
一般に、コンパクトやアイシャドーのようなケースは、大別すれば、内側に顔を見ながら化粧できるように鏡が付着されている蓋が、内容物が受納されている本体にヒンジ結合されるヒンジ開閉式コンパクトケースと、内部ケースを外部ケース内に挿入して保管し、外部ケースから引き出して内部ケースに受納された内容物を用いるスライド挿脱式コンパクトケースとに分けられる。
【０００３】
前述したコンパクトケースのうち、本出願に対応する先登録コンパクトとしては、特許文献１および特許文献２に示されたもの等がある。
【０００４】
前述した先登録考案は、内部ケースを囲むように形成された外部ケースに対して内容物ケースが挿脱される構造である。よって、ユーザーが先登録考案のコンパクトを使用する場合には、片手で外部ケースを把持し、他の片手で内容物ケースを把持した状態で内容物ケースを引き出すことで、内容物ケースに受納された内容物を用いて化粧することになる。
【０００５】
前述した先登録考案のコンパクトは、上、下に分離されたケースの一側をヒンジ結合し、それぞれのケース内に鏡、化粧材料及びパフを内蔵できるように製作されたヒンジ開閉式コンパクト容器から逸脱することで、多様な購買趣向や個性を持つ消費者の欲求を満足させることができた。
【０００６】
しかしながら、先登録考案のコンパクトは、外部ケースに対して内容物ケースの挿脱がユーザーにより行われるため、ユーザーの使用習慣により過度な力が加えられると、円滑な挿脱のための案内部材の摩擦摩耗が加速化される。
【０００７】
前述したような案内部材の摩擦摩耗は、外部ケース内における内容物ケースの流動により作動騷音を発生させるという問題点がある。
【特許文献１】韓国実用新案登録第３９３２３３号明細書
【特許文献２】韓国実用新案登録第３９３２３４号明細書
【発明の開示】
【発明が解決しようとする課題】
【０００８】
そこで、本発明の目的は、外部ケースからスライド自在に挿脱される内容物ケースを軽くタッチすれば、ロールスプリングの弾性力により自動的にスライドして引き出されて、スライド自在に挿脱されるようにしたことにより、ユーザーが直接内容物ケースを引き出した従来のスライディングコンパクトの短所を解決し、外部ケースから引き出された内容物ケースの内部蓋が自動的に垂直に立上げられることで、内部蓋に設置された鏡を見ながら化粧できるようにすることで、より便利に化粧が可能なコンパクトケースを提供することにある。
【課題を解決するための手段】
【０００９】
前記目的を達成するために、本発明は、収納部に内容物が受納される内容物ケースが外部ケースからスライド自在に挿脱されるコンパクトケースであって、内容物ケースを挿脱するための開放口が一側に形成され、開放口の反対の側壁内にワンタッチスイッチが選択的に分離・固定されるワンタッチスイッチ固定バーが形成され、内容物ケースが案内される案内レールが両側に形成された内底面には、開放口と隣接する位置に固定されて内容物ケースをスライドさせるロールスプリングが設置される外部ケースと、収納部に受容された内容物を密閉保管できるようにヒンジ設置され、外部ケースから引き出された場合、自動的に開放されて鏡を見ながら化粧できるように設置された内部蓋を有し、外部ケースの側壁と向き合う側面部にはロールスプリングが挿入案内されるスプリング案内部が形成され、前記スプリング案内部の側方向にはグリップを持つワンタッチスイッチが固定突起を介して設置され、スプリング案内部とワンタッチスイッチとの間には外部ケースの内底面の中央に形成された案内ホールに沿って案内されると共に、内容物ケースが外部ケースに装着維持されるように案内片兼用係止突起が切開溝により切開形成される内容物ケースとからなることを特徴とする。
【発明の効果】
【００１０】
本発明によれば、コンパクトケースは、外部ケースからスライド自在に挿脱される内容物ケースを軽くタッチすれば、ロールスプリングの弾性力により自動にスライドして引き出されて、スライド自在に挿脱されるようにしたことにより、ユーザーが直接内容物ケースを引き出した従来のスライディングコンパクトの短所を解決し、外部ケースから引き出された内容物ケースの内部蓋が自動に垂直に立上げられることで、内部蓋に設置された鏡を見ながら化粧できるようにすることで、より便利な化粧が可能になった。
【発明を実施するための最良の形態】
【００１１】
以下、添付図面に基づき、本発明の好適な実施形態を詳細に説明する。
【００１２】
図１〜図４に示すように、本発明によるコンパクトケースは、外部ケース１０と、外部ケース１０からスライド自在に挿脱される内容物ケース２０とからなる。
【００１３】
外部ケース１０は、内容物ケース２０が挿脱される開放口１１が一側に形成される。
【００１４】
開放口１１の反対側壁の内面には、ワンタッチスイッチ２５のグリップ２５ａが選択的に分離・固定されるワンタッチスイッチ固定バー１２が形成される。
【００１５】
ワンタッチスイッチ固定バー１２は、ワンタッチスイッチ２５のグリップ２５ａが安定的に固定保持されるように、端部の両側面がギヤ状に尖っている平面形状の菱形状をなす。
【００１６】
外部ケース１０内の底面には、内容物ケース２０の底面に形成された案内溝２７をガイドする案内レール１３が形成され、案内レール１３間すなわち中間(中央)位置には、内容物ケース２０の底面から切開された切開溝２９によって形成された案内片兼用係止突起２８をガイドすると共に、係止保持する案内ホール１４が形成される。
【００１７】
外部ケース１０内の底面には、開放口１１と隣接する位置に固定され、内容物ケース２０をスライドさせるロールスプリング１５が設けられる。
【００１８】
外部ケース１０から挿脱される内容物ケース２０は、内容物が受納される受納部２１を有し、収納部２１に受納された内容物を保護できるように内部蓋２２が設けられる。
【００１９】
内部蓋２２は、収納部２１の側壁をなす上縁部に形成されたヒンジブロック２１ａに内部蓋２２のヒンジブロック２２ａが軸着される。このとき、内部蓋２２の上面に加えられる外力が除去されると、自動に開放されるようにスプリング２３の弾性反発力を受けるように内部蓋２２が設けられる。
【００２０】
内部蓋２２内の底面には、顔を映して見るための鏡２２ｂが設けられる。
【００２１】
外部ケース１０の側壁と向き合う側面部に、ロールスプリング１５を挿入案内するスプリング案内部２４が形成される。
【００２２】
スプリング案内部２４の側方には、グリップ２５ａを持つワンタッチスイッチ２５が固定突起２６を介して設けられる。
【００２３】
ワンタッチスイッチ２５は、テレビ及びビデオ等の機能選択のための機能ボタンが外部に露出されないように機能ボタンを覆うカバーに設けられて使用される通常のワンタッチスイッチと同種のものであって、図面には詳細な説明を省略した。
【００２４】
内容物ケース２０の底面には、外部ケース１０の案内レール１３から案内される案内溝２７が形成される。案内溝２７間には、外部ケース１０内の底面の中央に形成された案内ホール１４に沿って案内されると共に、内容物ケース２０が外部ケース１０から引き出された状態で装着維持されるように、案内片兼用係止突起２８が切開溝２９により切開形成される。
【００２５】
前述した構成からなる本発明のコンパクトケースは、外部ケース１０の開放口１１を介してスライド自在に挿脱されるように装着された内容物ケース２０を引き出して収納部２１に受納された内容物を用いて化粧したい場合、内容物ケース２０が外部ケース１０の内側に移動するように軽くタッチする。
【００２６】
前述したように、内容物ケース２０を軽くタッチすれば、図３ａに示すように、外部ケース１０のワンタッチスイッチ２５のグリップ２５ａがワンタッチスイッチ固定バー１２を把持した状態から図３ｂに示すように把持解除される。
【００２７】
グリップ２５ａが把持解除されてワンタッチスイッチ固定バー１２から解放されることにより、グリップ２５ａがワンタッチスイッチ２５から抜け出る。
【００２８】
前述したように、ワンタッチスイッチ固定バー１２からグリップ２５ａが把持解除されると、内容物ケース２０がロールスプリング１５の弾性力により外部ケース１０から図３ｃ又は図４ｂに示すようにスライドして引き出される。
【００２９】
前述したように、外部ケース１０から引き出された内容物ケース２０は、収納部２１に受納された内容物を保護できるようにヒンジ設置された内部蓋２２が、図４ｂに示すように内底面に設置された鏡２２ｂにより所望の部位を見ながら化粧できるように垂直に立上げられる。
【００３０】
内部蓋２２が開放されるのは、スプリングの反発力を受けるように設置されているためである。
【００３１】
前述したように、外部ケース１０から引き出され、内部蓋２２が開放された状態で収納部に受納された内容物を用いて化粧し、化粧が完了した後には内容物ケース２０を外部ケース１０に押し入れて保管する。
【００３２】
内容物ケース２０を外部ケース１０に押し入れると、ワンタッチスイッチ２５のグリップ２５ａが外部ケース１０のワンタッチスイッチ固定バー１２を把持した状態になることで、保管可能になる。
【００３３】
グリップ２５ａがワンタッチスイッチ固定バー１２を把持するのは、ワンタッチスイッチ２５の本体(図示せず)に挿入されながら本体の先端両側壁に規制されて萎むことによる。
【産業上の利用可能性】
【００３４】
本発明は、外部ケースに装着されている内容物ケースを軽くタッチすれば、内容物ケースが外部ケースから自動的に抜け出して内容物ケースを引き出す場合の使用上の煩わしさを解消すると共に、鏡が付着されている内容物ケースの内部蓋が自動に開放されることで、化粧時の自身の顔を見ながら容易に化粧できる効果を有し、コンパクトとして有用である。
【図面の簡単な説明】
【００３５】
【図１】本発明によるコンパクトケースの分離斜視図。
【図２】本発明によるコンパクトケースの内容物ケースを示す底面斜視図。
【図３】本発明によるコンパクトケースの平断面図であって、外部ケースのワンタッチスイッチ固定バーから内容物ケースのタッチスイッチが分離される過程を示す例示図。
【図４】本発明によるコンパクトケースの側断面図であって、ロールスプリングにより内容物ケースが外部ケースから引き出される過程を示す例示図。
【符号の説明】
【００３６】
１０  外部ケース
１１  開放口
１２  ワンタッチスイッチ固定バー
１３  案内レール
１４  案内ホール
１５  ロールスプリング
２０  内容物ケース
２１  収納部
２２  内部蓋
２１ａ 、２２ａ  ヒンジブロック
２２ｂ  鏡
２３  スプリング
２４  スプリング案内部
２５  ワンタッチスイッチ
２５ａ  グリップ
２６  固定突起
２７  案内溝
２８  案内片兼用係止突起
２９  切開溝
【図１】
2008155004.tif 000003
【図２】
2008155004.tif 000004
【図３】
2008155004.tif 000005
【図４】
2008155004.tif 000006